【手続補正書】
【提出日】平成22年5月27日(2010.5.27)
【手続補正１】
【補正対象書類名】特許請求の範囲
【補正対象項目名】全文
【補正方法】変更
【補正の内容】
【特許請求の範囲】
【請求項１】
少なくとも２つの光源手段と、複数の偏向面を有する偏向手段と、前記少なくとも２つの光源手段から出射された少なくとも２つの光束を前記偏向手段の異なる偏向面に入射させる入射光学系と、前記偏向手段の異なる偏向面で偏向走査された少なくとも２つの光束をそれぞれ対応する被走査面上に結像させる複数の結像光学系と、を有する光走査装置であって、
前記偏向手段によって前記複数の被走査面を同時に偏向走査しており、
前記複数の結像光学系のそれぞれは、少なくとも１枚以上の透過型の結像光学素子と、少なくとも１枚以上の反射光学素子を有しており、
前記偏向手段の異なる偏向面で偏向走査された少なくとも２つの光束のそれぞれは、前記結像光学系を構成する少なくとも１枚以上の透過型の結像光学素子を通過し、その後、前記少なくとも１枚の反射光学素子で反射し、その後、前記透過型の結像光学素子を再通過しており、
前記偏向手段の異なる偏向面で偏向走査された少なくとも２つの光束は、前記透過型の結像光学素子を再通過した後に、副走査断面内において互いに交差していることを特徴とする光走査装置。
【請求項２】
副走査断面内において、前記透過型の結像光学素子を最初に通過した後の光束の主光線と、前記少なくとも１枚の反射光学素子で反射し、その後、前記透過型の結像光学素子を再通過をする前の光束の主光線との成す角をψ（°）とするとき、
４°＜ψ＜２０°
なる条件を満足することを特徴とする請求項１に記載の光走査装置。
【請求項３】
前記光源手段から出射された光束が前記偏向手段の偏向面で偏向走査されるときの偏向点と、前記偏向手段で偏向走査された光束が前記少なくとも１枚の反射光学素子のうちで最初に反射される反射光学素子の反射点との副走査断面内において定義される間隔をＴ（ｍｍ）、隣接する前記２つの被走査面の光束の入射点間の副走査断面内において定義される間隔をＤ（ｍｍ）とするとき、
０．３５＜Ｔ／Ｄ＜０．７５
なる条件を満足することを特徴とする請求項１又は２に記載の光走査装置。
【請求項４】
前記結像光学系を構成する透過型の結像光学素子は、１枚であることを特徴とする請求項１乃至３の何れか一項に記載の光走査装置。
【請求項５】
副走査断面内において、前記偏向手段の偏向面に入射する光束の主光線は、前記偏向手段の偏向面に垂直に入射していることを特徴とする請求項１乃至４の何れか一項に記載の光走査装置。
【請求項６】
前記結像光学系を構成する反射光学素子は、全て平面ミラーであることを特徴とする請求項１乃至５の何れか一項に記載の光走査装置。
【請求項７】
請求項１乃至６の何れか一項に記載の光走査装置と、前記複数の被走査面の各々に配置された複数の感光体と、を有することを特徴とする画像形成装置。
【請求項８】
外部機器から入力した色信号を異なった色の画像データに変換するプリンタコントローラを有していることを特徴とする請求項７に記載の画像形成装置。
【手続補正２】
【補正対象書類名】明細書
【補正対象項目名】００２２
【補正方法】変更
【補正の内容】
【００２２】
請求項１の発明の光走査装置は、少なくとも２つの光源手段と、複数の偏向面を有する偏向手段と、前記少なくとも２つの光源手段から出射された少なくとも２つの光束を前記偏向手段の異なる偏向面に入射させる入射光学系と、前記偏向手段の異なる偏向面で偏向走査された少なくとも２つの光束をそれぞれ対応する被走査面上に結像させる複数の結像光学系と、を有する光走査装置であって、
前記偏向手段によって前記複数の被走査面を同時に偏向走査しており、
前記複数の結像光学系のそれぞれは、少なくとも１枚以上の透過型の結像光学素子と、少なくとも１枚以上の反射光学素子を有しており、
前記偏向手段の異なる偏向面で偏向走査された少なくとも２つの光束のそれぞれは、前記結像光学系を構成する少なくとも１枚以上の透過型の結像光学素子を通過し、その後、前記少なくとも１枚の反射光学素子で反射し、その後、前記透過型の結像光学素子を再通過しており、
前記偏向手段の異なる偏向面で偏向走査された少なくとも２つの光束は、前記透過型の結像光学素子を再通過した後に、副走査断面内において互いに交差していることを特徴としている。
【手続補正３】
【補正対象書類名】明細書
【補正対象項目名】００２３
【補正方法】変更
【補正の内容】
【００２３】
請求項２の発明は請求項１の発明において、副走査断面内において、前記透過型の結像光学素子を最初に通過した後の光束の主光線と、前記少なくとも１枚の反射光学素子で反射し、その後、前記透過型の結像光学素子を再通過をする前の光束の主光線との成す角をψ（°）とするとき、
４°＜ψ＜２０°
なる条件を満足することを特徴としている。
【手続補正４】
【補正対象書類名】明細書
【補正対象項目名】００２４
【補正方法】変更
【補正の内容】
【００２４】
請求項３の発明は請求項１又は２の発明において、前記光源手段から出射された光束が前記偏向手段の偏向面で偏向走査されるときの偏向点と、前記偏向手段で偏向走査された光束が前記少なくとも１枚の反射光学素子のうちで最初に反射される反射光学素子の反射点との副走査断面内において定義される間隔をＴ（ｍｍ）、隣接する前記２つの被走査面の光束の入射点間の副走査断面内において定義される間隔をＤ（ｍｍ）とするとき、
０．３５＜Ｔ／Ｄ＜０．７５
なる条件を満足することを特徴としている。
【手続補正５】
【補正対象書類名】明細書
【補正対象項目名】００２５
【補正方法】変更
【補正の内容】
【００２５】
請求項４の発明の請求項１乃至３の何れか一項の発明において、前記結像光学系を構成する透過型の結像光学素子は、１枚であることを特徴としている。
【手続補正６】
【補正対象書類名】明細書
【補正対象項目名】００２６
【補正方法】変更
【補正の内容】
【００２６】
請求項５の発明の請求項１乃至４の何れか一項の発明において、副走査断面内において、前記偏向手段の偏向面に入射する光束の主光線は、前記偏向手段の偏向面に垂直に入射していることを特徴としている。
【手続補正７】
【補正対象書類名】明細書
【補正対象項目名】００２７
【補正方法】変更
【補正の内容】
【００２７】
請求項６の発明の請求項１乃至５の何れか一項の発明において、前記結像光学系を構成する反射光学素子は、全て平面ミラーであることを特徴としている。
【手続補正８】
【補正対象書類名】明細書
【補正対象項目名】００２８
【補正方法】変更
【補正の内容】
【００２８】
請求項７の発明の画像形成装置は、請求項１乃至６の何れか一項に記載の光走査装置と、前記複数の被走査面の各々に配置された複数の感光体と、を有することを特徴としている。
【手続補正９】
【補正対象書類名】明細書
【補正対象項目名】００２９
【補正方法】変更
【補正の内容】
【００２９】
請求項８の発明は請求項７の発明において、外部機器から入力した色信号を異なった色の画像データに変換するプリンタコントローラを有していることを特徴としている。
【手続補正１０】
【補正対象書類名】明細書
【補正対象項目名】００５７
【補正方法】変更
【補正の内容】
【００５７】
本実施例において光源手段から出射した光束が光偏向器５Ａ（５Ｂ）の偏向面で偏向されるときの点を偏向点とする。この偏向点と光偏向器５Ａ（５Ｂ）で偏向された光束が平面ミラーのうちで最初に反射される平面ミラー７Ａ・７Ｃ（７Ｅ・７Ｇ）の反射点との副走査断面内において定義される距離（間隔）をＴ（ｍｍ）とする。さらに、隣接する２つの被走査面８Ａ・８Ｂ（８Ｃ・８Ｄ）の光束の入射点間の距離をＤ（ｍｍ）とするとき、
０．３５＜Ｔ／Ｄ＜０．７５ ‥‥‥（１）
なる条件を満足させている。
【手続補正１１】
【補正対象書類名】明細書
【補正対象項目名】００６８
【補正方法】変更
【補正の内容】
【００６８】
Ｌ６Ａは結像光学系であり、ｆθ特性を有する透過型の結像光学素子としての１枚の結像レンズ（プラスチックレンズ）６Ａと反射光学素子としての２枚のミラー７Ａ、７Ｂを有している。尚、図面を見やすくするため、ミラー７Ｂの光線折り曲げについては、光学的に光路を展開した形で描いている。結像光学素子としては、屈折光学素子と回折光学素子を含んでいても良い。本実施例では全て屈折光学素子で構成されている。
【手続補正１２】
【補正対象書類名】明細書
【補正対象項目名】００７０
【補正方法】変更
【補正の内容】
【００７０】
尚、結像光学系Ｌ６Ａは複数（１枚以上）の結像光学素子を有していても良い。またパワー(屈折力)を有する反射光学素子を有していても良い。